(57)【要約】【課題】一人でもアンテナ設置作業を行うことができるアンテナ設置補助装置の提供。【解決手段】アンテナ設置補助装置１は、アンテナ１１を屋根１０に設置する際にアンテナマスト１２を立設した状態で保持するための装置である。アンテナ設置補助装置１は、アンテナマスト１２に固定される連結部２と、一端が連結部２に保持され、他端には屋根１０に載置される載置部３２が設けられた一対のロッド３と、一端に設けられ連結部２に係止される係止部４３と、他端に設けられ屋根１０に引掛けられる引掛部４２と、を有する一対のロープ部材４と、を備えている。一のロッド３と他のロッド３とは、アンテナマスト１２に対して対称の位置になるように連結部２に保持され、一のロープ部材４と他のロープ部材４とは、アンテナマスト１２に対して対称の位置になるように連結部２に係止される。【選択図】図１
0003216172.tif 000002
【実用新案登録請求の範囲】
【請求項１】
アンテナを屋根に設置する際にアンテナマストを立設した状態で保持するアンテナ設置補助装置であって、
アンテナマストに固定される連結部と、
一端が前記連結部に保持され、他端には屋根に載置される載置部が設けられた一対のロッドと、
一端に設けられ前記連結部に係止される係止部と、他端に設けられ前記屋根に引掛けられる引掛部と、を有する一対のロープ部材と、を備え、
一の前記ロッドと他の前記ロッドとは、前記アンテナマストに対して対称の位置になるように前記連結部に保持され、
一の前記ロープ部材と他の前記ロープ部材とは、前記アンテナマストに対して対称の位置になるように前記連結部に係止されることを特徴とするアンテナ設置補助装置。
【請求項２】
前記ロープ部材は、前記係止部と前記引掛部とを繋ぐロープをさらに有し、
前記係止部は、前記係止部と前記引掛部との間の前記ロープの長さを調節可能であることを特徴とする請求項１に記載のアンテナ設置補助装置。
【請求項３】
前記連結部は、一の前記ロッドを保持する第１挟持部と、他の前記ロッドを保持する第２挟持部と、前記第１挟持部と前記第２挟持部との間に前記アンテナマストを挟持した状態を維持する固定部と、を有し、
前記固定部は、ボルトと前記ボルトに螺合されるナットとにより構成され、
前記係止部は、前記ボルトに係止されることを特徴とする請求項１又は請求項２に記載のアンテナ設置補助装置。
【請求項４】
前記ロッドは、直線状に延びる本体部と、前記アンテナマストを固定する屋根馬に係止させる係止フックを有し長さが調節可能な紐材と、を有し、
前記載置部は、円弧状に湾曲した湾曲部と、前記湾曲部と前記本体部とを結ぶ枝部と、を有し、
前記湾曲部には、前記屋根との間で摩擦抵抗となる滑り止め部が設けられていることを特徴とする請求項１から３のいずれか１項に記載のアンテナ設置補助装置。
【考案の詳細な説明】
【技術分野】
【０００１】
本考案は、アンテナ設置補助装置に関し、特にテレビアンテナを屋根に設置する際にアンテナを一時的に固定するためのアンテナ補助装置に関するものである。
【背景技術】
【０００２】
従来のテレビアンテナ建柱補助具は、テレビアンテナ支柱を仮押さえするための抱持管と、抱持管を垂直方向に固定した水平中継管と、水平中継管の両外端から延びる幅調節可能なコ型脚と、から構成される（例えば、特許文献１）。テレビアンテナ支柱を屋根馬の支承管に差し込んだ状態で抱持管を固定することでテレビアンテナ支柱が仮押さえされた状態となり、作業員は両手を使って支線の張設作業を行うことができる。
【０００３】
特許文献２に記載の屋根馬では、基台部の下部に取り付けられた結合枠に４つの脚部がピンで固定されている。脚部は、開脚度を変えることができるため、アンテナシステムの安定性を保つことができる。アンテナマストとほぼ同じ長さを持つマスト保持筒にアンテナマストを挿入し、マスト保持筒を基台部に取り付けることで、アンテナを屋根馬に固定する。
【先行技術文献】
【特許文献】
【０００４】
【特許文献１】実開平７−１６４０８号公報
【特許文献２】特開平１１−３５５０１８号公報
【考案の概要】
【考案が解決しようとする課題】
【０００５】
しかし、従来のアンテナ建立補助具では、アンテナを仮押さえすることはできてもアンテナ建立補助具が屋根に対して固定されていないため、風などの影響により仮押さえしているアンテナが倒れる可能性があった。また、アンテナ建立補助具は、瓦など凹凸のある屋根に設置する際は、４本の脚だけでは安定性に欠けていた。さらに、従来の屋根馬についても同様に、屋根に対して屋根馬が固定されていないためアンテナが倒れる可能性があった。特に、アンテナマストとほぼ同じ長さのマスト保持筒を有する屋根馬でアンテナを支えているため、アンテナのバランスが悪くなってしまっていた。
【０００６】
そこで、本考案では、一人でもアンテナ設置作業を行うことができるアンテナ設置補助装置を提供することを目的とする。
【課題を解決するための手段】
【０００７】
上記課題を解決するために第１の考案は、アンテナを屋根に設置する際にアンテナマストを立設した状態で保持するアンテナ設置補助装置であって、アンテナマストに固定される連結部と、一端が前記連結部に保持され、他端には屋根に載置される載置部が設けられた一対のロッドと、一端に設けられ前記連結部に係止される係止部と、他端に設けられ前記屋根に引掛けられる引掛部と、を有する一対のロープ部材と、を備え、一の前記ロッドと他の前記ロッドとは、前記アンテナマストに対して対称の位置になるように前記連結部に保持され、一の前記ロープ部材と他の前記ロープ部材とは、前記アンテナマストに対して対称の位置になるように前記連結部に係止されることを特徴とするアンテナ設置補助装置を提供する。
【０００８】
第２の考案は、第１の考案のアンテナ設置補助装置であって、前記ロープ部材は、前記係止部と前記引掛部とを繋ぐロープをさらに有し、前記係止部は、前記係止部と前記引掛部との間の前記ロープの長さを調節可能であることを特徴としている。
【０００９】
第３の考案は、第１又は第２の考案のアンテナ設置補助装置であって、前記連結部は、一の前記ロッドを保持する第１挟持部と、他の前記ロッドを保持する第２挟持部と、前記第１挟持部と前記第２挟持部との間に前記アンテナマストを挟持した状態を維持する固定部と、を有し、前記固定部は、ボルトと前記ボルトに螺合されるナットとにより構成され、前記係止部は、前記ボルトに係止されることを特徴としている。
【００１０】
第４の考案は、第１から第３のいずれかの考案のアンテナ設置補助装置であって、前記ロッドは、直線状に延びる本体部と、アンテナマストを固定する屋根馬に係止させる係止フックを有し長さが調節可能な紐材と、を有し、前記載置部は、円弧状に湾曲した湾曲部と、前記湾曲部と前記本体部とを結ぶ枝部と、を有し、前記湾曲部には、前記屋根との間で摩擦抵抗となる滑り止め部が設けられていることを特徴としている。
【考案の効果】
【００１１】
第１の考案によると、アンテナマストに固定された連結部に屋根に引掛けられた引掛部を有するロープ部材が係止されているため、アンテナ設置補助装置が屋根に対して固定される。これにより、風などによってもアンテナが倒れることがなく作業者はアンテナマストから手を離してアンテナ設置作業を行うことができる。また、アンテナ及びアンテナマストは一対のロッドと一対のロープ部材とによって４つの方向から支持されているため、より強固にアンテナマストを屋根に対して固定することができる。さらに、一対のロッドはそれぞれアンテナマストに対して対称の位置になるように連結部に保持されるとともに一対のロープ部材はそれぞれアンテナマストに対して対称の位置になるように連結部に係止されているため、様々な方向の負荷に対してアンテナマストを屋根に安定的に固定することができる。通常のアンテナ設置作業は、一人がアンテナマストを保持しもう一人がアンテナマストを屋根に対して固定する作業を行うため最低でも二人必要だったが、アンテナ設置補助装置を使用することにより一人でアンテナ設置作業を行うことができる。また、アンテナマストは、屋根に対して固定されているため、アンテナマストを安全帯の係止部として利用することができる。これにより、アンテナ設置作業を安全に行うことができる。
【００１２】
第２の考案によると、係止部が係止部と引掛部との間のロープの長さを調整可能であるため、アンテナマストに対して対称の位置にあるロープの長さを調節することによりアンテナマストの傾きを調整することができる。これにより、簡単にアンテナマストを屋根に対して垂直に設置することができる。
【００１３】
第３の考案によると、連結部は第１挟持部と第２挟持部とをボルトとナットとで固定することによってアンテナマストを挟持しているため、風などの影響によってアンテナマストと連結部とがずれることを抑制できる。また、ロープ部材の係止部をボルトに係止しているため、連結部に新たに係止部を係止させるための部材を設けることなく簡易な構造で係止部と連結部とを係止することができ、アンテナ設置補助装置の部品点数を削減することができる。
【００１４】
第４の考案によると、ロッドが屋根馬に係止される係止フックを備えているため、ロッドと屋根馬とを固定することができる。これにより、より強固にアンテナ及びアンテナマストを屋根に対して固定することができる。また、屋根に載置される載置部に円弧状に湾曲した湾曲部が設けられているため、瓦の円弧に沿って載置部を配置することができる。さらに、湾曲部に滑り止め部が設けられているため、載置部と屋根とが滑ることを防止することができる。これにより、より安定的にアンテナマストを屋根に対して固定することができる。
【００１５】
従って、本考案によれば、一人でもアンテナ設置作業を行うことができるアンテナ設置補助装置を提供することができる。
【図面の簡単な説明】
【００１６】
【図１】本考案の実施の形態のアンテナ設置補助装置を屋根に設置した際の斜視図。
【図２】本考案の実施の形態のアンテナ設置補助装置の連結部をアンテナマストに固定したときの斜視図。
【図３】本考案の実施の形態のアンテナ設置補助装置の分解斜視図。
【図４】本考案の実施の形態のアンテナ設置補助装置を屋根に設置しワイヤーでアンテナマストを屋根に対して固定したときの斜視図。
【図５】本考案の実施の形態のアンテナ設置補助装置の載置部を瓦に載置したときの図。
【考案を実施するための形態】
【００１７】
本考案の実施の形態によるアンテナ設置補助装置１を、図１乃至図５に基づいて説明する。以下の記載において、平行、直行とは、完全に平行、直行ではなく略平行、略直行を含む概念である。図１、図２、及び図４のように、上下前後左右方向を定義する。
【００１８】
図１に示すように、アンテナ設置補助装置１は、アンテナ設置作業の際にアンテナ１１、アンテナマスト１２、及び屋根馬１３を屋根１０に対して一時的に固定するための装置である。アンテナ設置補助装置１は、アンテナマスト１２の先端にアンテナ１１が固定され、アンテナマスト１２の下端が屋根馬１３に固定された状態で屋根１０に固定する。アンテナ１１からは同軸ケーブル１５が延び、アンテナマスト１２は屋根馬１３の円筒部１３Ａに挿入されることにより屋根馬１３に固定される。図４に示すように、アンテナ設置作業では、最終的にアンテナ１１、アンテナマスト１２、及び屋根馬１３がワイヤー固定部１２Ａから延びる４本のワイヤー１４によって屋根に固定される。
【００１９】
アンテナ設置補助装置１は、連結部２と、一対のロッド３と、一対のロープ部材４と、から構成されている。図２に示すように、連結部２はアンテナマスト１２を挟持することにより、アンテナマスト１２に対して固定されている。連結部２は、第１挟持部２１と、第２挟持部２２と、ボルト２３と、ナット２４と、ロッド保持部２５と、回動支持部２６と、から構成されている。ボルト２３及びナット２４は、本考案の固定部に相当する。
【００２０】
第１挟持部２１は、略コ字状の金属製プレートであって、後方に延出する２本のボルト２３が設けられている。第１挟持部２１の前面には、ロッド保持部２５を左右方向に延びる軸Ｓを中心に回動可能に支持する回動支持部２６が設けられている。第１挟持部２１の左右方向中央部であって、上下におけるコ字状の先端部分にはアンテナマスト１２と当接する凹部２１ａが形成されている。凹部２１ａは、前方に向けて円弧状に窪みアンテナマスト１２の外径に沿うような形状をなしている。
【００２１】
第２挟持部２２は、略コ字状の金属製プレートであって、前後方向に貫通し左右方向に長い長孔２２ａと、右端部から左方向に向けて窪むように形成された略Ｕ字状の溝２２ｂと、が形成されている。長孔２２ａには一のボルト２３が挿入され、溝２２ｂには他のボルト２３が挿入される。第２挟持部２２の後面には、第１挟持部２１と同様に、ロッド保持部２５及び回動支持部２６がそれぞれ設けられている。第２挟持部２２の上下におけるコ字状の先端部分には、第１挟持部２１と同様に、アンテナマスト１２と当接する図示せぬ凹部が形成されている。連結部２をアンテナマスト１２に固定する際は、凹部２１ａとアンテナマスト１２とを当接させるとともに第２挟持部２２の凹部とアンテナマスト１２とを当接させ、ボルト２３を長孔２２ａ及び溝２２ｂに挿通させ、ナット２４を締める。
【００２２】
各ロッド３は、略同一の構成であるため一方のロッド３についてのみ以下に説明する。図３に示すように、ロッド３は、ロッド保持部２５に挿入される被挿入部３１と、屋根１０に載置される載置部３２と、被挿入部３１と載置部３２とを繋ぐ棒状の本体部３３と、を備えている。本体部３３の長手方向中央から載置部３２寄りの位置には、紐材３４が設けられている。紐材３４は、一端が本体部３３に固定され、一端と他端３４Ａとの間に係止フック３５が設けられている。係止フック３５はロープラチェットであって、他端３４Ａを引っ張ることにより一端と係止フック３５との距離を調整することができる。
【００２３】
載置部３２は、円弧状に湾曲した湾曲部３６と、一端が本体部３３に固定され他端が湾曲部３６に固定された枝部３７と、を備えている。湾曲部３６は円筒状のパイプを円弧状に湾曲させることにより形成されており、径方向の内側部分であって屋根１０と当接する箇所には、摩擦抵抗となる滑り止め部３６Ａが設けられている。ここでいう屋根１０と当接する箇所とは、湾曲部３６を湾曲している屋根１０の棟１０Ｂに載置したときに棟１０Ｂと当接する円弧形状の内側部分、及び湾曲部３６を平坦な屋根に載置した際に屋根と当接する底面をいう。本実施の形態では、滑り止め部３６Ａとして天然ゴムを用いているが、ジエン系ゴム、非ジエン系ゴム、又は熱可塑性エラストマーを用いてもよい。枝部３７は、湾曲部３６を補強するための補強材である。
【００２４】
各ロープ部材４は、略同一の構成であるため一方のロープ部材４についてのみ以下に説明する。ロープ部材４は、ロープ４１と、引掛部４２と、係止部４３と、を備えている。ロープ４１の一端に引掛部４２が固定され、一端と他端４１Ａとの間に係止部４３が設けられている。引掛部４２は、円筒状のパイプを略Ｊ字状に湾曲させることにより形成されている。引掛部４２とロープ４１とは、引掛部４２に貫通孔を形成し、図示せぬ金属製のフックを当該貫通孔に貫通させて引掛部４２と図示せぬフックとを係合させ、図示せぬフックとロープ４１とを締結している。これにより、引掛部４２の貫通孔に直接ロープ４１を締結する場合と比べて、ロープ４１の締結部が破断することを防止できる。特に、アンテナマスト１２を固定するロープ部材４には強い引っ張り応力がかかるため貫通孔の縁でロープ４１が破断する虞があるが、本考案によると図示せぬフックを介して引掛部４２とロープ４１とが固定されているため、ロープ４１の破断を防止することができる。
【００２５】
係止部４３はロープラチェットであって、他端４１Ａを引っ張ることにより引掛部４２と係止部４３との距離を調整することができる。
【００２６】
次に、アンテナ設置補助装置１を用いて、アンテナ１１、アンテナマスト１２、及び屋根馬１３を屋根１０に固定する方法について説明する。
【００２７】
作業者は、アンテナ設置補助装置１、アンテナ１１、アンテナマスト１２、屋根馬１３を屋根１０の上に運び、屋根馬１３を屋根１０の略中心の位置に配置し、アンテナ１１を設置する位置決めを行う。アンテナ１１とアンテナマスト１２とを互いに接続するとともに、アンテナ１１に同軸ケーブル１５を接続する。
【００２８】
アンテナマスト１２のワイヤー固定部１２Ａに、４本のワイヤー１４の一端を固定する。なお、図１においては、ワイヤー１４の図示を省略する。ロープ部材４の引掛部４２を屋根１０の縁１０Ａに引掛け、係止部４３を屋根馬１３の近傍に配置しておく。このとき、引掛部４２を屋根１０の縁１０Ａに設けられている雨樋に引掛けることが好ましい。屋根馬１３の円筒部１３Ａにアンテナマスト１２を差込んでアンテナ１１を立て、屋根馬１３に設けられた図示せぬアンテナマスト１２固定用のボルトで屋根馬１３にアンテナマスト１２を固定する。
【００２９】
連結部２を屋根１０から高さ１．３〜１．４ｍほどの位置に固定する。詳細には、図２に示すように、各ナット２４を緩めて左のボルト２３を長孔２２ａ内でスライドさせるとともに右のボルト２３を溝２２ｂから離脱させ、凹部２１ａとアンテナマスト１２とを当接させる。再び右側のボルト２３を溝２２ｂ内に挿入するとともに左のボルト２３を長孔２２ａでスライドさせ、第２挟持部２２の凹部とアンテナマスト１２とを当接させる。各ナット２４を締めることで、連結部２とアンテナマスト１２とが互いに固定される。右のボルト２３は一端が開口している溝２２ｂに挿入されているため、単に貫通孔が形成されている場合と比較すると、ナット２４をボルト２３から離脱させることなく、ナット２４とボルト２３とを係合させた状態で連結部２をアンテナマスト１２に固定することができる。これにより、アンテナ設置補助装置１の取り付け作業時間を短縮することができる。
【００３０】
図１に示すように、一対のロッド３を第１挟持部２１のロッド保持部２５及び第２挟持部２２のロッド保持部２５にそれぞれ挿入し、滑り止め部３６Ａを屋根１０の棟１０Ｂと当接するように載置する。係止フック３５を屋根馬１３の円筒部１３Ａの縁に引掛け、他端３４Ａを引っ張ることでロッド３と屋根馬１３とを固定する。作業者は、アンテナマスト１２を屋根馬１３に立てた後は、一方の手でアンテナマスト１２が倒れないように保持しつつ作業を行う。
【００３１】
図２に示すように、係止部４３をボルト２３に引掛けて他端４１Ａを引っ張ることで、屋根１０に引掛けられた引掛部４２と係止部４３との間のロープ４１が張って連結部２と屋根１０とが固定される。これにより、アンテナ１１、アンテナマスト１２、及び屋根馬１３と屋根１０とを一時的に固定することができ、作業者はアンテナマスト１２から手を離して両手で作業を行うことができる。図１に示すように、アンテナ設置補助装置１を組み立てた状態では、アンテナマスト１２に対して一のロッド３と他のロッド３とが略対称の位置になるとともに、アンテナマスト１２に対して一のロープ部材４と他のロープ部材４とが略対称の位置になる。換言すると、上方から見て、各ロッド３が略直線状になるようにアンテナマスト１２を支持するとともに、各ロープ部材４が略直線状になるようにアンテナマスト１２を支持している。ロッド３と隣接するロープ部材４とは連結部２に対して略９０°の位置に配置されており、アンテナマスト１２は前後左右の４方向からアンテナ設置補助装置１に支持されている。作業者は、左右のロープ部材４の係止部４３でロープ４１の長さを調整することにより、アンテナマスト１２の傾きを調整し、アンテナマスト１２が屋根１０に対して垂直になるように調整する。
【００３２】
図４に示すように、作業者は、予めワイヤー固定部１２Ａに固定しておいた各ワイヤー１４を釘１４Ａで屋根１０の四隅に固定し、同軸ケーブル１５をアンテナマスト１２にテープ等で固定する。アンテナ設置補助装置１をアンテナマスト１２から取外し、アンテナ設置作業を終了する。
【００３３】
アンテナ１１の方向を変更する際は、アンテナマスト１２を回転させることでアンテナ１１の向きを調整する。このとき、ワイヤー固定部１２Ａはアンテナマスト１２に対して回転可能であるため、ワイヤー１４でアンテナマスト１２を支持した状態のままアンテナマスト１２を回転させることができる。
【００３４】
図５に、瓦屋根の場合の載置部３２の載置方法を示す。湾曲部３６は瓦１００の曲がりに沿うように形成されており、ロッド３は滑り止め部３６Ａと瓦１００とが当接するように瓦１００に載置される。このとき瓦１００の凸部１１０と湾曲部３６とを当接させてもよい。これにより、ロッド３が瓦１００に対して滑ることを防止できる。また、平坦な屋根に載置部３２を載置する場合には、湾曲部３６の底面にも滑り止め部３６Ａが設けられているため、ロッド３が平坦な屋根に対して滑ることを防止できる。
【００３５】
このような構成によると、アンテナマスト１２に固定された連結部２に屋根１０に引掛けられた引掛部４２を有するロープ部材４が係止されているため、アンテナ設置補助装置１が屋根１０に対して固定される。これにより、風などによってもアンテナ１１が倒れることがなく作業者はアンテナマスト１２から手を離してアンテナ設置作業を行うことができる。また、アンテナ１１及びアンテナマスト１２は一対のロッド３と一対のロープ部材４とによって４つの方向から支持されているため、より強固にアンテナマスト１２を屋根１０に対して固定することができる。さらに、一対のロッド３はそれぞれアンテナマスト１２に対して対称の位置になるように連結部２に保持されるとともに一対のロープ部材４はそれぞれアンテナマスト１２に対して対称の位置になるように連結部２に係止されているため、様々な方向の負荷に対してもアンテナマスト１２を屋根１０に安定的に固定することができる。通常のアンテナ設置作業は、一人がアンテナマスト１２を保持しもう一人がアンテナマスト１２を屋根に対して固定する作業を行うため最低でも二人必要だったが、アンテナ設置補助装置１を使用することにより一人でアンテナ設置作業を行うことができる。
【００３６】
このような構成によると、係止部４３が係止部４３と引掛部４２との間のロープ４１の長さを調整可能であるため、アンテナマスト１２に対して対称の位置にあるロープ４１の長さを調節することによりアンテナマスト１２の傾きを調整することができる。これにより、簡単にアンテナマスト１２を屋根に対して垂直に設置することができる。
【００３７】
このような構成によると、連結部２は第１挟持部２１と第２挟持部２２とをボルト２３とナット２４とで固定することによってアンテナマスト１２を挟持しているため、風などの影響によってアンテナマスト１２と連結部２とがずれることを抑制できる。また、ロープ部材４の係止部４３をボルト２３に係止しているため、連結部２に新たに係止部４３を係止させるための部材を設けることなく簡易な構造で係止部４３と連結部２とを係止することができ、アンテナ設置補助装置１の部品点数を削減することができる。
【００３８】
このような構成によると、ロッド３が屋根馬１３に係止される係止フック３５を備えているため、ロッド３と屋根馬１３とを固定することができる。これにより、より強固にアンテナ１１及びアンテナマスト１２を屋根１０に対して固定することができる。また、屋根１０に載置される載置部３２に円弧状に湾曲した湾曲部３６が設けられているため、瓦１００の円弧に沿って載置部３２を配置することができる。さらに、湾曲部３６に滑り止め部３６Ａが設けられているため、載置部３２と屋根１０とが滑ることを防止することができる。これにより、より安定的にアンテナマスト１２を屋根１０に対して固定することができる。
【００３９】
本考案の実施の形態は、上記の実施の形態に限定されず、実用新案登録請求の範囲に記載された考案の要旨の範囲内で種々の変更が可能である。
【００４０】
上記の実施の形態では、ロッド３の本体部３３は単体で構成されていたが、２つの円筒部材を組み合わせることにより伸縮可能に構成してもよい。このとき、ロッドの位置決めはピン等によって固定することが好ましい。これにより、ロッドが圧縮応力によって縮むことを防止できる。
【００４１】
上述の実施の形態では、被挿入部３１をロッド保持部２５に挿入することによりロッド３を連結部２に対して固定したが、これに限定されない。例えば、被挿入部の径をロッド保持部よりも大きくし、ロッド保持部を被挿入部に挿入してもよい。これにより、ロッド３が拡径し強度を向上させることができる。
【符号の説明】
【００４２】
１      アンテナ設置補助装置
２      連結部
３      ロッド
４      ロープ部材
１０    屋根
１１    アンテナ
１２    アンテナマスト
１３    屋根馬
２１    第１挟持部
２２    第２挟持部
２３    ボルト
２４    ナット
３２    載置部
３３    本体部
３４    紐材
３５    係止フック
３６    湾曲部
３６Ａ  滑り止め部
４１    ロープ
４２    引掛部
４３    載置部
【図１】
0003216172.tif 000003
【図２】
0003216172.tif 000004
【図３】
0003216172.tif 000005
【図４】
0003216172.tif 000006
【図５】
0003216172.tif 000007